(57)【要約】【課題】撮像部の撮像範囲を広範囲に調節する。【解決手段】インターホン装置１は、撮像部１５と、筐体１８と、角度調節構造と、角度調節部１３１と、を備える。撮像部１５は、撮像素子１５１、及び撮像素子１５１の前方に配置されるレンズ１５２を含む。筐体１８は、少なくとも撮像部１５が前面に配置される。角度調節構造は、撮像部１５を保持し、筐体１８の前面の法線方向に対するレンズ１５２の光軸の角度を、互いに異なる複数の角度のいずれかに調節した状態で筐体１８に取り付けられる。角度調節部１３１は、撮像部１５で撮像される映像の一部を切り出す。【選択図】図１
2019068331.tif 000002
【特許請求の範囲】
【請求項１】
撮像素子、及び前記撮像素子の前方に配置されるレンズを含む撮像部と、
少なくとも前記撮像部が前面に配置される筐体と、
前記撮像部を保持し、前記筐体の前記前面の法線方向に対する前記レンズの光軸の角度を、互いに異なる複数の角度のいずれかに調節した状態で前記筐体に取り付けられる角度調節構造と、
前記撮像部で撮像される映像の一部を切り出す角度調節部と、を備える
インターホン装置。
【請求項２】
前記角度調節部による調節角度の刻み幅は、前記角度調節構造による調節角度の刻み幅よりも小さい
請求項１に記載のインターホン装置。
【請求項３】
前記レンズは、前記角度調節構造が前記筐体に取り付けられた状態で前記筐体の前記前面よりも前方に突出している
請求項１又は２に記載のインターホン装置。
【請求項４】
前記光軸は、前記角度調節構造が前記筐体に取り付けられた状態で前記法線方向に対して傾斜している
請求項１〜３のいずれか１項にインターホン装置。
【請求項５】
前記撮像部で撮像される前記映像を表示する表示部を更に備え、
前記角度調節部は、前記角度調節構造を介して前記筐体に取り付けられた前記撮像部からの前記映像を前記表示部に表示させた状態で、ユーザからの操作入力を受け付ける操作部からの信号に基づいて前記映像の切り出し位置を調節する
請求項１〜４のいずれか１項に記載のインターホン装置。
【請求項６】
前記角度調節構造は、前記光軸の調節角度が互いに異なる複数種類の固定部材を有し、
前記撮像部は、前記光軸の調節角度に応じて、前記複数種類の固定部材のいずれかを介して前記筐体に取り付けられる
請求項１〜５のいずれか１項に記載のインターホン装置。
【請求項７】
前記角度調節構造の少なくとも一部は、前記筐体に対して回転可能であり、
互いに異なる複数の回転角度のうちのいずれかの回転角度で前記角度調節構造の少なくとも一部を回転させることによって前記光軸の角度が調節される
請求項１〜５のいずれか１項に記載のインターホン装置。
【請求項８】
前記撮像部で撮像される前記映像に対して所定の映像処理を行う映像処理部を更に備え、
前記映像処理部は、前記筐体に対する前記角度調節構造の少なくとも一部の前記回転角度に応じて前記映像を回転させる
請求項７に記載のインターホン装置。
【請求項９】
前記筐体に対する前記角度調節構造の少なくとも一部の前記回転角度に応じて前記筐体の前記前面に対する前記レンズの突出量が変化する
請求項７又は８に記載のインターホン装置。
【請求項１０】
請求項１〜９のいずれか１項に記載のインターホン装置と、
前記撮像部で撮像される前記映像を前記インターホン装置から受信する通信装置と、を備える
インターホンシステム。
【発明の詳細な説明】
【技術分野】
【０００１】
本開示は、一般にインターホン装置及びインターホンシステムに関し、より詳細には、撮像機能を備えたインターホン装置及びインターホンシステムに関する。
【背景技術】
【０００２】
特許文献１には、広角レンズを用いたテレビインターホンが記載されている。特許文献１に記載のテレビインターホンは、子器と、信号伝送系を介して子器に接続される親器と、を備える。子器は、広角レンズを装着したテレビカメラを有する。親器は、子器からの画像を表示するモニターテレビを有する。特許文献１に記載のテレビインターホンでは、広角レンズを用いることによって、テレビカメラの視野範囲を広くすることができる。
【先行技術文献】
【特許文献】
【０００３】
【特許文献１】特開平６−２２５３１２号公報
【発明の概要】
【発明が解決しようとする課題】
【０００４】
特許文献１に記載のようなテレビインターホン（インターホンシステム）において、例えば上下方向（鉛直方向）に傾斜する傾斜面を有する取付台に子機（インターホン装置）が取り付けられる場合を想定する。この場合、傾斜面の角度に応じてテレビカメラ（撮像部）により撮像される範囲を上下方向に調節する必要があり、撮像部の撮像範囲を広範囲に調節することができるインターホンシステムが望まれている。
【０００５】
本開示は上記課題に鑑みてなされており、撮像部の撮像範囲を広範囲に調節することができるインターホン装置及びインターホンシステムを提供することを目的とする。
【課題を解決するための手段】
【０００６】
本開示の一態様に係るインターホン装置は、撮像部と、筐体と、角度調節構造と、角度調節部と、を備える。前記撮像部は、撮像素子、及び前記撮像素子の前方に配置されるレンズを含む。前記筐体は、少なくとも前記撮像部が前面に配置される。前記角度調節構造は、前記撮像部を保持し、前記筐体の前記前面の法線方向に対する前記レンズの光軸の角度を、互いに異なる複数の角度のいずれかに調節した状態で前記筐体に取り付けられる。前記角度調節部は、前記撮像部で撮像される映像の一部を切り出す。
【０００７】
本開示の一態様に係るインターホンシステムは、前記インターホン装置と、前記撮像部で撮像される前記映像を前記インターホン装置から受信する通信装置と、を備える。
【発明の効果】
【０００８】
本開示によれば、撮像部の撮像範囲を広範囲に調節することができる、という効果がある。
【図面の簡単な説明】
【０００９】
【図１】本開示の一実施形態に係るインターホン装置及びインターホンシステムのブロック図である。
【図２】図２Ａは、同上のインターホン装置の正面図である。図２Ｂは、同上のインターホン装置を取付台に取り付けた状態の側面図である。
【図３】図３Ａ及び図３Ｂは、同上のインターホン装置において第１固定部材を介して撮像部を筐体に取り付けた状態の要部を示し、図３Ａは正面図、図３Ｂは側面図である。図３Ｃ及び図３Ｄは、同上のインターホン装置において第２固定部材を介して撮像部を筐体に取り付けた状態の要部を示し、図３Ｃは正面図、図３Ｄは側面図である。
【図４】図４Ａ及び図４Ｂは、同上のインターホン装置の取付状態を示す一部省略した側面図である。
【図５】図５は、同上のインターホン装置におけるレンズの光軸の調節範囲を示す模式図である。
【図６】図６Ａ〜図６Ｃは、本開示の一実施形態の第１変形例に係るインターホン装置において角度調節構造を介して撮像部を筐体に取り付けた状態の要部を示し、図６Ａは正面図、図６Ｂは側面図、図６Ｃは角度調節構造の一部を１８０度回転させた状態の側面図である。
【図７】図７Ａ及び図７Ｂは、本開示の一実施形態の第２変形例に係るインターホン装置において角度調節構造を介して撮像部を筐体に取り付けた状態の要部を示し、図７Ａは側断面図、図７Ｂは角度調節構造を１８０度回転させて筐体に取り付けた状態の側断面図である。
【図８】図８Ａ及び図８Ｂは、本開示の一実施形態の第３変形例に係るインターホン装置において角度調節構造を介して撮像部を筐体に取り付けた状態の要部を示し、図８Ａは側断面図、図８Ｂは角度調節構造を１８０度回転させた状態の側断面図である。
【発明を実施するための形態】
【００１０】
（１）インターホン装置及びインターホンシステムの概要
以下、本実施形態に係るインターホン装置１及びインターホンシステム１０の概要について、図１を参照して説明する。本実施形態に係るインターホンシステム１０は、図１に示すように、インターホン装置１と、複数（図１では２つ）の通信装置２と、制御装置３と、を備えている。このインターホンシステム１０は、制御装置３を介して、インターホン装置１と複数の通信装置２の各々との間で通話等の通信を行うためのシステムであり、例えばマンション等の集合住宅１００に適用される。
【００１１】
インターホン装置１は、本実施形態では、集合住宅１００の共用玄関１０２に設置されるロビーインターホン（共用端末）である。インターホン装置１は、第１伝送路５１を介して制御装置３に接続されている。インターホン装置１は、制御装置３を介して、各通信装置２との間で通信（例えば、通話、及び映像信号の送信等）を行うように構成されている。
【００１２】
各通信装置２は、本実施形態では、集合住宅１００の各住戸１０１内に設置されるインターホン親機（住戸端末）である。各通信装置２は、第２伝送路５２を介して制御装置３に接続されている。第２伝送路５２は、幹線５２１と、複数（図１では２本）の分岐線５２２と、を含む。複数の分岐線５２２の各々は、分岐器４を介して幹線５２１から分岐している。複数の分岐線５２２は複数の通信装置２と一対一に対応しており、複数の通信装置２の各々は、対応する分岐線５２２を介して幹線５２１に接続されている。各通信装置２は、制御装置３を介して、インターホン装置１との間で通信（例えば、通話、制御信号の送信等）を行うように構成されている。
【００１３】
制御装置３は、本実施形態では、集合住宅１００の管理室等に設置されている。制御装置３は、インターホン装置１と各通信装置２との間の通信を中継するように構成されている。なお、第１伝送路５１及び第２伝送路５２は、いずれもツイストペア線である。つまり、実際には、第１伝送路５１及び第２伝送路５２は２本の電線で構成されるが、図面上では１本の線で表している。
【００１４】
ところで、上述の特許文献１に記載のようなテレビインターホンにおいて、例えば上下方向（鉛直方向）に傾斜する傾斜面を有する取付台に子機（インターホン装置１）が取り付けられる場合を想定する。この場合、傾斜面の角度に応じてテレビカメラ（撮像部１５）により撮像される範囲を上下方向に調節する必要があり、テレビカメラの撮像範囲を広範囲に調節することができるシステムが望まれている。
【００１５】
本実施形態に係るインターホン装置１及びインターホンシステム１０は、撮像部１５の撮像範囲を広範囲に調節できるように、以下のように構成されている。
【００１６】
本実施形態に係るインターホン装置１は、撮像部１５と、筐体１８と、角度調節構造１９（図２Ａ参照）と、角度調節部１３１と、を備える。撮像部１５は、撮像素子１５１、及び撮像素子１５１の前方に配置されるレンズ１５２を含む。筐体１８は、少なくとも撮像部１５が前面１８１（図２Ａ参照）に配置される。角度調節構造１９は、撮像部１５を保持し、筐体１８の前面１８１の法線方向に対するレンズ１５２の光軸Ｐ１（図２Ｂ参照）の角度を、互いに異なる複数の角度のいずれかに調節した状態で筐体１８に取り付けられる。角度調節部１３１は、撮像部１５で撮像される映像の一部を切り出す。
【００１７】
また、本実施形態に係るインターホンシステム１０は、上述のインターホン装置１と、通信装置２と、を備える。通信装置２は、撮像部１５で撮像される映像をインターホン装置１から受信する。
【００１８】
このように、レンズ１５２の光軸Ｐ１の角度を調節する角度調節構造１９と、撮像部１５で撮像される映像の切り出し位置を調節する角度調節部１３１とを組み合わせることで、撮像部１５の撮像範囲を広範囲に調節することができる。
【００１９】
（２）インターホン装置及びインターホンシステムの詳細
以下、本実施形態に係るインターホン装置１及びインターホンシステム１０の詳細について、図１を参照して説明する。
【００２０】
（２．１）インターホン装置
まず、インターホン装置１の構成について説明する。インターホン装置１は、図１に示すように、第１制御部１１と、第１通信部１２と、第１映像処理部１３と、第１表示部１４（表示部）と、撮像部１５と、第１操作部１６と、第１記憶部１７と、を備えている。さらに、インターホン装置１は、通信装置２との間で通話を実現するための通話部（スピーカ及びマイクロホンを含む）等を備えている。
【００２１】
第１制御部１１は、プロセッサ及びメモリを有するマイクロコンピュータで構成されている。つまり、第１制御部１１は、プロセッサ及びメモリを有するコンピュータシステムで実現されている。そして、プロセッサが適宜のプログラムを実行することにより、コンピュータシステムが第１制御部１１として機能する。プログラムは、メモリに予め記録されていてもよいし、インターネット等の電気通信回線を通じて、又はメモリカード等の非一時的な記録媒体に記録されて提供されてもよい。
【００２２】
第１通信部１２は、通信装置２と通信するための通信インターフェースである。第１通信部１２は、図１に示すように、第１伝送路５１を介して制御装置３に接続されている。第１通信部１２は、制御装置３を介して、通信装置２との間で双方向に通信可能に構成されている。第１通信部１２は、音声信号及び映像信号等を含む通信信号を通信装置２に送信する。また、第１通信部１２は、通信装置２から送信される通信信号を受信し、この通信信号を復調することで音声信号等を取得する。音声信号は、第１制御部１１を介して通話部へ出力される。
【００２３】
第１映像処理部１３は、例えば、ＤＳＰ（Digital Signal Processor）又はＦＰＧＡ（Field-Programmable Gate Array）等で実現される。第１映像処理部１３は、撮像部１５にて撮像された映像に対して所定の映像処理を行うように構成されている。また、第１映像処理部１３は、角度調節部１３１を有している。角度調節部１３１は、撮像部１５で撮像される映像の一部を切り出すことによって、角度調節構造１９（後述する）により調節されたレンズ１５２の光軸Ｐ１を仮想的に調節し、これにより撮像部１５の撮像範囲を調節する。例えば、角度調節部１３１が映像における下寄りの一部を切り出した場合には、撮像部１５の撮像範囲が下向きに調節される。また、角度調節部１３１が映像における上寄りの一部を切り出した場合には、撮像部１５の撮像範囲が上向きに調節される。
【００２４】
第１表示部１４は、例えば液晶ディスプレイである。第１表示部１４は、第１映像処理部１３から出力される映像（映像信号）が入力される。そのため、第１表示部１４は、撮像部１５にて撮像された映像そのものではなく、第１映像処理部１３にて映像処理が施された映像信号に基づく映像を表示する。
【００２５】
撮像部１５は、撮像素子１５１と、撮像素子１５１の前方に配置されるレンズ１５２と、を含む。撮像部１５は、本実施形態では、被写体（訪問者等）を撮像するためのカメラである。そのため、訪問者がインターホン装置１を操作する際に少なくとも訪問者の顔を撮像できるように、撮像部１５の撮像エリア（視野）は、インターホン装置１の前方に設定されている。本実施形態では、撮像部１５は動画を撮像するカメラである。さらに、本実施形態では、撮像部１５はカラー画像を撮像するカメラである。なお、撮像部１５は、静止画を撮像するカメラであってもよいし、モノクロ画像を撮像するカメラであってもよい。
【００２６】
撮像素子１５１は、例えば、ＣＣＤ（Charge Coupled Devices）イメージセンサ、又はＣＭＯＳ（Complementary Metal-Oxide Semiconductor）イメージセンサ等の二次元イメージセンサである。撮像部１５は、被写体からの光をレンズ１５２によって撮像素子１５１の撮像面（受光面）上に結像させ、撮像素子１５１にて被写体からの光を電気信号に変換する。そして、撮像部１５は、撮像素子１５１の出力信号を映像信号として第１制御部１１へ出力する。レンズ１５２は、例えば、１８０度以上の画角を有する魚眼レンズ（超広角レンズ）である。
【００２７】
第１操作部１６は、集合住宅１００への訪問者（配達業者、友人等）の操作入力を受け付けるように構成されている。第１操作部１６は、図２Ａに示すように、テンキー、「呼出」ボタン等の複数の押ボタンスイッチを有する入力インターフェースである。例えば、訪問者が、テンキーを用いて住戸番号等を入力した後、「呼出」ボタンを押すことによって、対象の住戸１０１の住人を呼び出すことができる。これに対して、対象の住戸１０１の住人が、第２操作部２５（後述する）に含まれる「応答」ボタンを押すことによって、インターホン装置１と通信装置２との間で音声通話を行うことができる。なお、インターホン装置１がタッチパネルディスプレイを備えている場合には、タッチパネルディスプレイによって第１表示部１４と第１操作部１６とが兼用されていてもよい。
【００２８】
第１記憶部１７は、例えばフラッシュメモリ等の読み書き可能なメモリで構成されている。第１記憶部１７は、撮像部１５にて撮像された映像を記憶する。
【００２９】
（２．２）通信装置
次に、通信装置２の構成について説明する。通信装置２は、図１に示すように、第２制御部２１と、第２通信部２２と、第２映像処理部２３と、第２表示部２４と、第２操作部２５と、第２記憶部２６と、を備えている。さらに、通信装置２は、インターホン装置１との間で通話を実現するための通話部（スピーカ及びマイクロホンを含む）等を備えている。
【００３０】
第２制御部２１は、プロセッサ及びメモリを有するマイクロコンピュータで構成されている。つまり、第２制御部２１は、プロセッサ及びメモリを有するコンピュータシステムで実現されている。そして、プロセッサが適宜のプログラムを実行することにより、コンピュータシステムが第２制御部２１として機能する。プログラムは、メモリに予め記録されていてもよいし、インターネット等の電気通信回線を通じて、又はメモリカード等の非一時的な記録媒体に記録されて提供されてもよい。
【００３１】
第２通信部２２は、インターホン装置１と通信するための通信インターフェースである。第２通信部２２は、図１に示すように、第２伝送路５２を介して制御装置３に接続されている。第２通信部２２は、制御装置３を介して、インターホン装置１との間で双方向に通信可能に構成されている。第２通信部２２は、音声信号及び制御信号等を含む通信信号をインターホン装置１に送信する。また、第２通信部２２は、インターホン装置１から送信される通信信号を受信し、この通信信号を復調することで音声信号及び映像信号等を取得する。音声信号は、第２制御部２１を介して通話部へ出力され、映像信号は、第２制御部２１及び第２映像処理部２３を介して第２表示部２４へ出力される。
【００３２】
第２映像処理部２３は、例えば、ＤＳＰ又はＦＰＧＡ等で実現される。第２映像処理部２３は、第２通信部２２から出力される映像信号に対して所定の映像処理を行うように構成されている。第２映像処理部２３は、映像処理を施した映像信号を第２表示部２４に出力する。
【００３３】
第２表示部２４は、例えば液晶ディスプレイである。第２表示部２４は、第２映像処理部２３から出力される映像信号に基づく映像を表示する。
【００３４】
第２操作部２５は、各住戸１０１の住人の操作入力を受け付けるように構成されている。第２操作部２５は、テンキー、「応答」ボタン等の複数の押ボタンスイッチを有する入力インターフェースである。第２通信部２２が、住人を呼び出すための呼出信号をインターホン装置１から受信している状態で、第２操作部２５の「応答」ボタンが押されると、インターホン装置１と通信装置２との間で通話可能な状態となる。なお、通信装置２がタッチパネルディスプレイを備えている場合には、タッチパネルディスプレイによって第２表示部２４と第２操作部２５とが兼用されていてもよい。
【００３５】
第２記憶部２６は、例えばフラッシュメモリ等の読み書き可能なメモリで構成されている。第２記憶部２６は、通信装置２に対して個別に割り当てられたアドレス情報（識別情報）を記憶する。また、第２記憶部２６は、インターホン装置１から送られてくる撮像部１５の映像を記憶する。
【００３６】
（２．３）制御装置
次に、制御装置３の構成について説明する。制御装置３は、図１に示すように、第３制御部３１と、第３通信部３２と、第３記憶部３３と、を備えている。
【００３７】
第３制御部３１は、プロセッサ及びメモリを有するマイクロコンピュータで構成されている。つまり、第３制御部３１は、プロセッサ及びメモリを有するコンピュータシステムで実現されている。そして、プロセッサが適宜のプログラムを実行することにより、コンピュータシステムが第３制御部３１として機能する。プログラムは、メモリに予め記録されていてもよいし、インターネット等の電気通信回線を通じて、又はメモリカード等の非一時的な記録媒体に記録されて提供されてもよい。
【００３８】
第３通信部３２は、第１伝送路５１を介してインターホン装置１の第１通信部１２に接続されている。また、第３通信部３２は、第２伝送路５２を介して各通信装置２の第２通信部２２に接続されている。第３通信部３２は、インターホン装置１から送信される通信信号を受信し、この通信信号に含まれる住戸番号に対応するアドレスが割り当てられた通信装置２に対して当該通信信号を送信する。また、第３通信部３２は、通信装置２から送信される通信信号を受信し、この通信信号をインターホン装置１に送信する。つまり、第３通信部３２は、インターホン装置１と通信装置２とを接続し、両者間での通信（通話）を中継する。
【００３９】
第３記憶部３３は、例えばフラッシュメモリ等の読み書き可能なメモリで構成されている。第３記憶部３３は、集合住宅１００の各住戸１０１の住戸番号と、各住戸１０１内に設置される通信装置２に個別に割り当てられるアドレスとを紐付けて記憶する。したがって、第３制御部３１は、第３記憶部３３に記憶させた住戸番号とアドレスとの対応関係に基づいてインターホン装置１からの通信信号に含まれる住戸番号をアドレスに変換し、このアドレスを含む通信信号を第３通信部３２から各通信装置２に送信させる。各通信装置２では、通信信号に含まれるアドレスが自己に割り当てられたアドレスと一致する場合に通信信号を受信し、一致しなければ通信信号を破棄する。
【００４０】
（３）インターホン装置の構造
次に、本実施形態に係るインターホン装置１の構造について、図２Ａ〜図５を参照して説明する。以下の説明では、図２Ａ〜図４Ｂに示す向きにおいて前後、上下、左右の各方向を規定する。ただし、図面中の「前」、「後」、「上」、「下」、「左」、「右」を示す矢印は説明のために表記しているに過ぎず、実体を伴わない。また、上記に示す方向は、インターホン装置１の使用方向を限定する趣旨ではない。
【００４１】
本実施形態に係るインターホン装置１は、上述した第１制御部１１、第１通信部１２、第１映像処理部１３、第１表示部１４、撮像部１５、第１操作部１６及び第１記憶部１７の他、筐体１８と、角度調節構造１９と、を更に備えている。
【００４２】
筐体１８は、図２Ａに示すように、上下方向に長い矩形の箱状であり、上述した第１制御部１１、第１通信部１２、第１映像処理部１３、第１表示部１４、撮像部１５、第１操作部１６及び第１記憶部１７が収納される。筐体１８の前面１８１における上寄りの位置には、撮像部１５が配置されている。この撮像部１５は、角度調節構造１９を介して筐体１８に取り付けられる。筐体１８の前面１８１において撮像部１５の下部には、複数の押ボタンスイッチを有する第１操作部１６が配置されている。さらに、筐体１８の前面１８１において第１操作部１６の下部には、キーシリンダー２０が配置されている。例えば、いずれかの住戸１０１の住人がキーシリンダー２０にキーを差し込んで所定の方向に回転させることで、集合住宅１００の共用玄関１０２に設置されている自動ドア等を開放することができる。
【００４３】
このような筐体１８は、例えば図２Ｂに示すように、集合住宅１００の共用玄関１０２に設けられた取付台６に取り付けられる。図２Ｂに示す例では、取付台６は、水平面（上下方向と直交する平面）に対して傾斜角がα１に設定された傾斜面６１を有しており、筐体１８は傾斜面６１に取り付けられる。例えば、図２Ｂに示すように、レンズ１５２の光軸Ｐ１が筐体１８の前面１８１の法線方向と平行である場合には、撮像部１５の撮像範囲が上向きに設定されることになり、前方に位置する訪問者等が撮像部１５の撮像範囲に含まれなくなる可能性がある。したがって、この場合には、筐体１８の前面１８１の法線方向に対してレンズ１５２の光軸Ｐ１が下向きとなるように、レンズ１５２の光軸Ｐ１の角度を調節可能であることが好ましい。本実施形態に係るインターホン装置１は、レンズ１５２の光軸Ｐ１の角度を調節できるように、角度調節構造１９を備えている。以下、角度調節構造１９について、図３Ａ〜図３Ｄを参照して説明する。なお、ここでいう「レンズの光軸」とは、画角（視野角）の中心のことであり、レンズが写す画像のうち撮像素子に写る範囲の中心のことである。
【００４４】
角度調節構造１９は、図３Ａ〜図３Ｄに示すように、第１固定部材１９１及び第２固定部材１９２を有している。
【００４５】
第１固定部材１９１は、図３Ａ及び図３Ｂに示すように、前面部１９１１と上面部１９１２と下面部１９１３と左面部１９１４と右面部１９１５とで、左右方向から見た形状が台形状の四角錘台に形成されている。上面部１９１２は、前方に行くほど斜め下向きに傾斜し、下面部１９１３は、前方に行くほど斜め上向きに傾斜している。また、左面部１９１４は、前方に行くほど斜め右向きに傾斜し、右面部１９１５は、前方に行くほど斜め左向きに傾斜している。前面部１９１１の中央には、撮像部１５のレンズ１５２を前方に露出させるための円形の窓孔１９１６が設けられている。
【００４６】
第２固定部材１９２は、図３Ｃ及び図３Ｄに示すように、上面部１９２１と下面部１９２２と左面部１９２３と右面部１９２４とで、左右方向から見た形状が三角状に形成されている。上面部１９２１は、前方に行くほど斜め下向きに傾斜し、下面部１９２２は、前方に行くほど斜め上向きに傾斜している。また、左面部１９２３は、前方に行くほど斜め右向きに傾斜し、右面部１９２４は、前方に行くほど斜め左向きに傾斜している。下面部１９２２の中央には、撮像部１５のレンズ１５２を前方に露出させるための円形の窓孔１９２５が設けられている。
【００４７】
ここで、本実施形態に係るインターホン装置１では、当該インターホン装置１が取り付けられる取付場所に応じて、第１固定部材１９１と第２固定部材１９２とのいずれか一方を選択し、選択した固定部材を介して撮像部１５を筐体１８に取り付けることになる。
【００４８】
例えば、図４Ａに示すように、鉛直方向（上下方向）に伸びる壁面２００にインターホン装置１が取り付けられる場合には、撮像部１５は、第１固定部材１９１を介して筐体１８に取り付けられるのが好ましい。この場合、レンズ１５２の光軸Ｐ１（＝Ｐ１１）は、筐体１８の前面１８１の法線方向と平行な方向となり、インターホン装置１の前方に位置する訪問者等を撮像部１５の撮像範囲に含めることができる。
【００４９】
また、図４Ｂに示すように、取付台６の傾斜面６１にインターホン装置１が取り付けられる場合には、撮像部１５は、第２固定部材１９２を介して筐体１８に取り付けられるのが好ましい。この場合、撮像部１５が第２固定部材１９２の下面部１９２２に取り付けられており、第１固定部材１９１を用いた場合と比較して、レンズ１５２の光軸Ｐ１（＝Ｐ１２）が下向きに調節される。その結果、インターホン装置１の前方に位置する訪問者等を撮像部１５の撮像範囲に含めることができる。言い換えると、第２固定部材１９２を介して撮像部１５を筐体１８に取り付けた場合には、レンズ１５２の光軸Ｐ１は、筐体１８の前面１８１の法線方向に対して（下向きに）傾斜する。
【００５０】
本実施形態に係るインターホン装置１では、角度調節構造１９は、レンズ１５２の光軸Ｐ１の調節角度が互いに異なる複数種類の固定部材（第１固定部材１９１及び第２固定部材１９２）を有している。そして、撮像部１５は、レンズ１５２の光軸Ｐ１の調節角度に応じて、複数種類の固定部材のいずれかを介して筐体１８に取り付けられる。この構成によれば、複数種類の固定部材（第１固定部材１９１及び第２固定部材１９２）のうち選択する固定部材に応じて、レンズ１５２の光軸Ｐ１の角度を段階的に調節することができる。
【００５１】
また、第１固定部材１９１と第２固定部材１９２とのいずれか一方によって撮像部１５が筐体１８に取り付けられた状態では、図３Ｂ及び図３Ｄに示すように、レンズ１５２は、筐体１８の前面１８１よりも前方に突出している。この構成によれば、撮像素子１５１の撮像範囲に筐体１８等の一部が写り込みにくくなるという利点がある。
【００５２】
（４）撮像部の撮像範囲の調節方法
次に、撮像部１５の撮像範囲の調節方法について説明する。
【００５３】
まず、施工者は、インターホン装置１の取付場所に応じて第１固定部材１９１と第２固定部材１９２とのいずれか一方を選択し、選択した固定部材を介して撮像部１５を筐体１８に取り付ける。施工者は、インターホン装置１を壁面２００に取り付ける場合には第１固定部材１９１を選択し、インターホン装置１を取付台６の傾斜面６１に取り付ける場合には第２固定部材１９２を選択する。第１固定部材１９１を介して撮像部１５を筐体１８に取り付けた場合には、図４Ａに示すように、レンズ１５２の光軸Ｐ１は、筐体１８の前面１８１の法線方向と平行な方向となる。また、第２固定部材１９２を介して撮像部１５を筐体１８に取り付けた場合には、図４Ｂに示すように、レンズ１５２の光軸Ｐ１は、筐体１８の前面１８１の法線方向に対して斜め下向きとなる。その結果、撮像部１５のレンズ１５２の光軸Ｐ１が調節される。
【００５４】
次に、施工者は、第１操作部１６に対して所定の操作を行うことで、撮像部１５で撮像される映像を第１表示部１４に表示させる。そして、施工者は、第１表示部１４に表示させた映像を見ながら撮像部１５の撮像範囲を調節する。例えば、撮像部１５の撮像範囲を上向きに調節する場合、施工者は、第１操作部１６に含まれる「１」ボタンを押す。第１操作部１６からの操作信号が入力されると、第１映像処理部１３の角度調節部１３１は、第１表示部１４に表示された映像の上寄りの一部を切り出し、切り出した映像を第１表示部１４に表示させる。これにより、レンズ１５２の光軸Ｐ１が仮想的に上向きに調節され、その結果、撮像部１５の撮像範囲が上向きに調節される。また、撮像部１５の撮像範囲を下向きに調節する場合、施工者は、第１操作部１６に含まれる「２」ボタンを押す。第１操作部１６からの操作信号が入力されると、角度調節部１３１は、第１表示部１４に表示された映像の下寄りの一部を切り出し、切り出した映像を第１表示部１４に表示させる。これにより、レンズ１５２の光軸Ｐ１が仮想的に下向きに調節され、その結果、撮像部１５の撮像範囲が下向きに調節される。すなわち、角度調節部１３１は、角度調節構造１９を介して筐体１８に取り付けられた撮像部１５からの映像を第１表示部１４に表示させた状態で、ユーザ（施工者）からの操作入力を受け付ける第１操作部１６からの信号に基づいて映像の切り出し位置を調節する。
【００５５】
ここで、図５は、レンズ１５２の光軸Ｐ１の調節範囲を示す模式図である。図５におけるＰ１１は、第１固定部材１９１を介して撮像部１５を筐体１８に取り付けた場合のレンズ１５２の光軸である。また、図５におけるＰ１２は、第２固定部材１９２を介して撮像部１５を筐体１８に取り付けた場合のレンズ１５２の光軸である。すなわち、第１固定部材１９１と第２固定部材１９２とのいずれを用いるかによって、レンズ１５２の光軸Ｐ１の角度をθ２の範囲で調節することができる。一方、角度調節部１３１は、撮像部１５で撮像された映像の切り出し位置に応じて光軸Ｐ１を仮想的に調節する。角度調節部１３１は、角度調節構造１９によって調節された光軸Ｐ１（Ｐ１１又はＰ１２）に対して上側にθ１、下側にθ１の範囲で光軸Ｐ１を仮想的に調節することができる。したがって、本実施形態に係るインターホン装置１では、角度調節構造１９と角度調節部１３１とを組み合わせることで、（４×θ１）の範囲で撮像部１５の撮像範囲を調節することができる。
【００５６】
ここで、角度調節部１３１による調節角度の刻み幅（最小幅）θ１は、角度調節構造１９による調節角度の刻み幅θ２、言い換えると第１固定部材１９１と第２固定部材１９２とを交換することによる調節角度の刻み幅θ２よりも小さい。これにより、撮像部１５の撮像範囲を調節する場合において、角度調節構造１９によって大きく調節することができ、さらに角度調節部１３１によって微調節を行うことができる。すなわち、本実施形態に係るインターホン装置１によれば、撮像部１５の撮像範囲について、広範囲に調節可能であり、かつ微調節が可能であるという利点がある。なお、図５における二点鎖線Ｐ２は、角度調節部１３１による仮想的な光軸を表している。
【００５７】
（５）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００５８】
（５．１）第１変形例
上述の実施形態では、角度調節構造１９が第１固定部材１９１と第２固定部材１９２とを有し、インターホン装置１の取付場所に応じていずれか一方を選択する場合を例として説明した。これに対して、図６Ａ〜図６Ｃに示すように、保持部材１９３と回転部材１９４とで角度調節構造１９Ａが構成されていてもよい。以下、第１変形例のインターホン装置１の構造（角度調節構造１９Ａ）について、図６Ａ〜図６Ｃを参照して説明する。なお、角度調節構造１９Ａ以外の構成については、上述の実施形態と同様であり、ここでは説明を省略する。
【００５９】
第１変形例に係る角度調節構造１９Ａは、図６Ａ〜図６Ｃに示すように、保持部材１９３と、保持部材１９３に回転可能に保持される回転部材１９４とで構成される。
【００６０】
保持部材１９３は、図６Ａ〜図６Ｃに示すように、上面部１９３１と下面部１９３２と左面部１９３３と右面部１９３４とで、左右方向から見た形状が三角状に形成されている。上面部１９３１は、前方に行くほど斜め下向きに傾斜し、下面部１９３２は、前方に行くほど斜め上向きに傾斜している。また、左面部１９３３は、前方に行くほど斜め右向きに傾斜し、右面部１９３４は、前方に行くほど斜め左向きに傾斜している。
【００６１】
回転部材１９４は、円錐台の重心を偏心させた偏心円錐台状に形成されている。回転部材１９４の前面部１９４１の中央には、撮像部１５のレンズ１５２を前方に露出させるための円形の窓孔１９４２が設けられている。この回転部材１９４は、保持部材１９３の下面部１９３２に回転可能に取り付けられている。この回転部材１９４によれば、重心を偏心させているので、保持部材１９３に対する回転部材１９４の回転角度に応じてレンズ１５２の光軸Ｐ１の角度を調節することができる。
【００６２】
保持部材１９３に対する回転部材１９４の回転角度を、図６Ａ及び図６Ｂに示す角度に設定した場合、レンズ１５２の光軸Ｐ１（＝Ｐ１１）は、筐体１８の前面１８１の法線方向に平行な方向となる。したがって、この場合には、鉛直方向に伸びる壁面にインターホン装置１を取り付けることで、インターホン装置１の前方に位置する訪問者等を撮像部１５の撮像範囲に含めることができる。
【００６３】
図６Ａ及び図６Ｂに示す状態から、保持部材１９３に対して回転部材１９４を１８０度回転させた場合、レンズ１５２の光軸Ｐ１（＝Ｐ１２）は、図６Ｃに示すように、筐体１８の前面１８１の法線方向に対して斜め下向きとなる。したがって、この場合には、取付台に設けられた傾斜面にインターホン装置１を取り付けることで、回転部材１９４の回転角度が図６Ｂに示す角度である場合と比較して、レンズ１５２の光軸Ｐ１の角度を斜め下向きに調節することができる。その結果、インターホン装置１の前方に位置する訪問者等を撮像部１５の撮像範囲に含めることができる。なお、図６Ｂ及び図６Ｃにおける破線Ａ１は、保持部材１９３に対する回転部材１９４の回転軸を表している。
【００６４】
すなわち、第１変形例のインターホン装置１では、角度調節構造１９Ａの少なくとも一部（回転部材１９４）は、筐体１８に対して回転可能である。そして、互いに異なる複数の回転角度のうちのいずれかの回転角度で角度調節構造１９Ａの少なくとも一部を回転させることによって、光軸Ｐ１の角度が調節される。この構成によれば、筐体１８に対して角度調節構造１９Ａの少なくとも一部（回転部材１９４）を回転させるだけで、光軸Ｐ１の角度を調節することができる。
【００６５】
ところで、回転部材１９４を回転させてレンズ１５２の光軸Ｐ１を調節した場合、回転部材１９４の回転に伴って撮像部１５も回転するため、このままでは第１表示部１４に表示される映像も回転することになる。したがって、この場合には、第１映像処理部１３が、撮像部１５で撮像される映像を回転部材１９４の回転角度に応じて回転させるように構成されていることが好ましい。この構成によれば、回転部材１９４の回転角度に応じて映像の向きを調節することができる。
【００６６】
また、第１変形例のインターホン装置１では、図６Ｂ及び図６Ｃに示すように、回転部材１９４の回転角度に応じて、筐体１８の前面１８１に対するレンズ１５２の突出量が変化している。すなわち、第１変形例によれば、回転部材１９４の回転角度に応じてレンズ１５２の突出量を調節することができる。
【００６７】
なお、第１変形例では、回転部材１９４の回転角度が１８０度である場合を例として説明したが、回転部材１９４の回転角度は１８０度に限らず、任意の角度でよい。また、回転部材１９４を回転させることによって、レンズ１５２の光軸Ｐ１を連続的に調節できるように構成されていてもよい。
【００６８】
（５．２）第２変形例
上述の第１変形例では、保持部材１９３に対する回転部材１９４の回転角度を調節することによって、光軸Ｐ１の角度を調節する場合を例として説明した。これに対して、図７Ａ及び図７Ｂに示すように、筐体１８に対する角度調節構造１９Ｂの取付向きを変更することによって、光軸Ｐ１の角度を調節できるように構成されていてもよい。以下、第２変形例のインターホン装置１の構造（角度調節構造１９Ｂ）について、図７Ａ及び図７Ｂを参照して説明する。なお、筐体１８及び角度調節構造１９Ｂ以外の構成については、上述の実施形態と同様であり、ここでは説明を省略する。
【００６９】
筐体１８は、上下方向に長い矩形の箱状である（図２Ａ参照）。筐体１８の前面１８１には、前方に突出する突台部１８２が一体に形成されている。突台部１８２は、上面部１８２１と下面部１８２２とで左右方向から見た形状が三角状に形成されている。上面部１８２１は、前方に行くほど斜め下向きに傾斜し、下面部１８２２は、前方に行くほど斜め上向きに傾斜している。また、下面部１８２２には、角度調節構造１９Ｂを取り付けるための取付孔１８２３が設けられている。
【００７０】
角度調節構造１９Ｂは、図７Ａに示すように、上下方向に長い取付部１９５と、取付部１９５の下端から斜め下向きに傾斜する傾斜部１９６と、取付部１９５及び傾斜部１９６の後面から後方に突出する突部１９７とが一体に形成されている。第２変形例に係る角度調整構造１９Ｂでは、レンズ１５２を含む撮像部１５は、図７Ａに示すように、レンズ１５２を前方に露出させた状態で取付部１９５に取り付けられる。この角度調節構造１９Ｂは、筐体１８の前面１８１に設けられた突台部１８２の取付孔１８２３に突部１９７を差し込むことで筐体１８に取り付けられる。また、この角度調節構造１８Ｂは、図７Ｂに示すように、筐体１８に対して１８０度回転させた状態で筐体１８に取り付けることもできる。
【００７１】
図７Ａに示す向きで角度調節構造１９Ｂが筐体１８に取り付けられた場合、レンズ１５２の光軸Ｐ１（＝Ｐ１１）は、筐体１８の前面１８１の法線方向に平行な方向となる。したがって、この場合には、鉛直方向に伸びる壁面にインターホン装置１を取り付けることで、インターホン装置１の前方に位置する訪問者等を撮像部１５の撮像範囲に含めることができる。
【００７２】
図７Ｂに示す向き、言い換えると図７Ａに示す状態から１８０度回転させた向きで角度調節構造１９Ｂが筐体１８に取り付けられた場合、レンズ１５２の光軸Ｐ１（＝Ｐ１２）は、筐体１８の前面１８１の法線方向に対して斜め下向きとなる。したがって、この場合には、取付台に設けられた傾斜面にインターホン装置１を取り付けることで、図７Ａに示す向きで角度調節構造１９Ｂを筐体１８に取り付けた場合と比較して、レンズ１５２の光軸Ｐ１の角度を下向きに調節することができる。その結果、インターホン装置１の前方に位置する訪問者等を撮像部１５の撮像範囲に含めることができる。この構成によれば、筐体１８に対して角度調節構造１９Ｂを取り付ける向きを変えるだけで、レンズ１５２の光軸Ｐ１の角度を調節することができる。
【００７３】
なお、第２変形例では、レンズ１５２の光軸Ｐ１を調節する場合における角度調節構造１９Ｂの取付向きを１８０度回転させた場合を例として説明したが、任意の角度でよい。
【００７４】
（５．３）第３変形例
上述の第１変形例では、角度調節構造１９Ａの一部である回転部材１９４を回転させることでレンズ１５２の光軸Ｐ１の角度を調節する場合を例として説明した。これに対して、図８Ａ及び図８Ｂに示すように、筐体１８に対して角度調節構造１９Ｃの全体を回転させることでレンズ１５２の光軸Ｐ１の角度を調節するように構成されていてもよい。以下、第３変形例のインターホン装置１の構造（角度調節構造１９Ｃ）について、図８Ａ及び図８Ｂを参照して説明する。なお、筐体１８及び角度調節構造１９Ｃ以外の構成については、上述の実施形態と同様であり、ここでは説明を省略する。
【００７５】
筐体１８は、上下方向に長い矩形の箱状である（図２Ａ参照）。筐体１８の前面１８１には、角度調節構造１９Ｃを収納するための円形の収納凹部１８３が一体に形成されている。収納凹部１８３の内周面のうち、左右方向と直交する平面に対して一方側（図８Ｂにおける紙面の奥側）の内周面には、螺旋状に形成された第１溝１８３１が設けられている。また、収納凹部１８３の内周面のうち、上記平面に対して他方側（図８Ｂにおける紙面の手前側）の内周面には、上下方向（鉛直方向）に沿って形成された第２溝（図示せず）が設けられている。
【００７６】
角度調節構造１９Ｃは、図８Ａ及び図８Ｂに示すように、前面部１９８と前面部１９８の端縁から後方に突出する側面部１９９とで、一面（図８Ａにおける右面）が開口した円筒状に形成されている。側面部１９９は、図８Ａに示すように、下端部において突出量が最も大きく、上側に行くほど突出量が小さくなるように傾斜した形状である。また、側面部１９９は、第１突起１９９１及び第２突起１９９２を有している。第１突起１９９１は、図８Ａに示すように、側面部１９９の下側の開口端縁から外向き（下向き）に突出している。また、第２突起１９９１は、図８Ａに示すように、側面部１９９の上側の開口端縁から外向き（上向き）に突出している。この角度調節構造１９Ｃは、筐体１８に対して、図８Ａに示す位置と図８Ｂに示す位置との間で回転可能である。このとき、第１突起１９９１は、筐体１８の収納凹部１８３に形成された第１溝１８３１に沿って移動し、第２突起１９９２は、第２溝に沿って移動する。
【００７７】
図８Ａに示すように、角度調節構造１９Ｃが筐体１８の収納凹部１８３に収納された状態では、レンズ１５２の光軸Ｐ１（＝Ｐ１１）は、筐体１８の前面１８１の法線方向に平行な方向となる。したがって、この場合には、鉛直方向に伸びる壁面にインターホン装置１を取り付けることで、インターホン装置１の前方に位置する訪問者等を撮像部１５の撮像範囲に含めることができる。
【００７８】
図８Ａに示す状態から、角度調節構造１９Ｃを一方向（図８Ａにおける前側から見て時計回りの方向）に１８０度回転させると、図８Ｂに示すように、筐体１８の収納凹部１８３から角度調節構造１９Ｃが突出した状態になる。このとき、レンズ１５２の光軸Ｐ１（＝Ｐ１２）は、筐体１８の前面１８１の法線方向に対して斜め下向きとなる。したがって、この場合には、取付台に設けられた傾斜面にインターホン装置１を取り付けることで、角度調節構造１９Ｃを筐体１８の収納凹部１８３に収納させた場合と比較して、レンズ１５２の光軸Ｐ１の角度を下向きに調節することができる。その結果、インターホン装置１の前方に位置する訪問者等を撮像部１５の撮像範囲に含めることができる。そして、この構成によれば、筐体１８に対して角度調節構造１９Ｃを回転させるだけで、レンズ１５２の光軸Ｐ１の角度を調節することができる。
【００７９】
なお、第３変形例では、角度調節構造１９Ｃの回転角度が１８０度である場合を例として説明したが、角度調節構造１９Ｃの回転角度は１８０度に限らず、任意の角度でよい。
【００８０】
（５．４）その他の変形例
以下、上述の実施形態のその他の変形例について列挙する。以下に説明する変形例は、適宜組み合わせて適用可能である。
【００８１】
本開示におけるインターホンシステム１０の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示におけるインターホンシステム１０の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００８２】
また、第１制御部１１、第２制御部２１及び第３制御部３１の各々の機能は、１つの装置に設けられていてもよいし、複数の装置に分散して設けられていてもよい。さらに、第１制御部１１、第２制御部２１及び第３制御部３１の各々の少なくとも一部の機能は、例えば、クラウド（クラウドコンピューティング）によって実現されていてもよい。
【００８３】
上述の実施形態では、角度調節部１３１による調節角度の刻み幅θ１が、角度調節構造１９による調節角度の刻み幅θ２よりも小さい場合を例として説明した。これに対して、刻み幅θ１は、刻み幅θ２と同じであってもよいし、刻み幅θ２よりも大きくてもよい。
【００８４】
上述の実施形態では、レンズ１５２は、角度調節構造１９を介して撮像部１５が筐体１８に取り付けられた状態で筐体１８の前面１８１よりも前方に突出しているが、筐体１８の前面１８１よりも前方に突出していなくてもよい。
【００８５】
上述の実施形態では、角度調節構造１９が２つの固定部材（第１固定部材１９１及び第２固定部材１９２）を有している場合を例に説明したが、固定部材の個数は２つに限らず、３つ以上であってもよい。
【００８６】
上述の実施形態では、インターホン装置１が集合住宅１００の共用玄関１０２に設置されるロビーインターホンである場合を例として説明した。これに対して、インターホン装置１は、ロビーインターホンに限らず、例えば各住戸１０１の外玄関に設置されるインターホン子機（ドアホン子機）であってもよい。
【００８７】
上述の実施形態では、通信装置２が集合住宅１００の各住戸１０１に設置されるインターホン親機である場合を例として説明した。これに対して、通信装置２は、インターホン親機に限らず、例えば集合住宅１００の管理室等に設置される通信装置であってもよい。
【００８８】
上述の実施形態では、インターホンシステム１０が集合住宅１００に適用される場合を例として説明した。これに対して、インターホンシステム１０の適用対象は、集合住宅１００に限らず、例えば戸建て住宅であってもよいし、オフィスビル、工場、病院等の非住宅であってもよい。
【００８９】
上述のシーキリンダー２０は一例であって、例えば、非接触型のキーリーダーであってもよい。
【００９０】
また、角度調節部１３１が切り出した映像は、第１表示部１４及び第２表示部２４にそのまま表示させてもよいし、その一部を表示させてもよい。例えば、切り出した映像を第２表示部２４に表示させる場合、切り出した映像の範囲内で映像を拡大、縮小、移動可能なように、切り出した映像の一部を第２表示部２４に表示させることが好ましい。
【００９１】
（まとめ）
以上述べた実施形態から明らかなように、第１の態様に係るインターホン装置（１）は、撮像部（１５）と、筐体（１８）と、角度調節構造（１９，１９Ａ〜１９Ｃ）と、角度調節部（１３１）と、を備える。撮像部（１５）は、撮像素子（１５１）、及び撮像素子（１５１）の前方に配置されるレンズ（１５２）を含む。筐体（１８）は、少なくとも撮像部（１５）が前面（１８１）に配置される。角度調節構造（１９，１９Ａ〜１９Ｃ）は、撮像部（１５）を保持し、筐体（１８）の前面（１８１）の法線方向に対するレンズ（１５２）の光軸（Ｐ１）の角度を、互いに異なる複数の角度のいずれかに調節した状態で筐体（１８）に取り付けられる。角度調節部（１３１）は、撮像部（１５）で撮像される映像の一部を切り出す。
【００９２】
第１の態様によれば、角度調節構造（１９，１９Ａ〜１９Ｃ）と角度調節部（１３１）とを組み合わせることで、撮像部（１５）の撮像範囲を広範囲に調節することができる。
【００９３】
第２の態様に係るインターホン装置（１）では、第１の態様において、角度調節部（１３１）による調節角度の刻み幅（θ１）は、角度調節構造（１９，１９Ａ〜１９Ｃ）による調節角度の刻み幅（θ２）よりも小さい。
【００９４】
第２の態様によれば、撮像部（１５）の撮像範囲について、角度調節構造（１９，１９Ａ〜１９Ｃ）によって大きく調節することができ、さらに角度調節部（１３１）によって微調節が可能である。
【００９５】
第３の態様に係るインターホン装置（１）では、第１又は２の態様において、レンズ（１５２）は、角度調節構造（１９，１９Ａ〜１９Ｃ）が筐体（１８）に取り付けられた状態で筐体（１８）の前面（１８１）よりも前方に突出している。
【００９６】
第３の態様によれば、レンズ（１５２）が筐体（１８）の前面（１８１）よりも前方に突出しているので、撮像素子（１５１）の撮像範囲に筐体（１８）等の一部が写り込みにくくなるという利点がある。
【００９７】
第４の態様に係るインターホン装置（１）では、第１〜３のいずれかの態様において、光軸（Ｐ１）は、角度調節構造（１９，１９Ａ〜１９Ｃ）が筐体（１８）に取り付けられた状態で筐体（１８）の前面（１８１）の法線方向に対して傾斜している。
【００９８】
第４の態様によれば、例えば傾斜面（６１）を有する取付台（６）にインターホン装置（１）が取り付けられる場合に、インターホン装置（１）の前方に位置する人物を撮像部（１５）の撮像範囲に含めることができる。
【００９９】
第５の態様に係るインターホン装置（１）は、第１〜４のいずれかの態様において、撮像部（１５）で撮像される映像を表示する表示部（第１表示部（１４））を更に備える。角度調節部（１３１）は、角度調節構造（１９，１９Ａ〜１９Ｃ）を介して筐体（１８）に取り付けられた撮像部（１５）からの映像を表示部に表示させた状態で、操作部（第１操作部（１６））からの信号に基づいて映像の切り出し位置を調節する。操作部は、ユーザからの操作入力を受け付ける。
【０１００】
第５の態様によれば、ユーザが、表示部に表示させた映像を見ながら撮像部（１５）の撮像範囲を調節することができる。
【０１０１】
第６の態様に係るインターホン装置（１）では、第１〜５のいずれかの態様において、角度調節構造（１９）は、光軸（Ｐ１）の調節角度が互いに異なる複数種類の固定部材（第１固定部材１９１、第２固定部材１９２）を有する。撮像部（１５）は、光軸（Ｐ１）の調節角度に応じて、複数種類の固定部材のいずれかを介して筐体（１８）に取り付けられる。
【０１０２】
第６の態様によれば、複数種類の固定部材のうち選択する固定部材に応じて光軸（Ｐ１）の角度を段階的に調節することができる。
【０１０３】
第７の態様に係るインターホン装置（１）では、第１〜５のいずれかの態様において、角度調節構造（１９Ａ〜１９Ｃ）の少なくとも一部は、筐体（１８）に対して回転可能である。そして、互いに異なる複数の回転角度のうちのいずれかの回転角度で角度調節構造（１９Ａ〜１９Ｃ）の少なくとも一部を回転させることによって光軸（Ｐ１）の角度が調節される。
【０１０４】
第７の態様によれば、筐体（１８）に対して角度調節構造（１９Ａ〜１９Ｃ）の少なくとも一部を回転させるだけで光軸（Ｐ１）の角度を調節することができる。
【０１０５】
第８の態様に係るインターホン装置（１）は、第７の態様において、撮像部（１５）で撮像される映像に対して所定の映像処理を行う映像処理部（第１映像処理部（１３））を更に備える。映像処理部は、筐体（１８）に対する角度調節構造（１９Ａ〜１９Ｃ）の少なくとも一部の回転角度に応じて映像を回転させる。
【０１０６】
第８の態様によれば、角度調節構造（１９Ａ〜１９Ｃ）の少なくとも一部の回転角度に応じて映像の向きを調節することができる。
【０１０７】
第９の態様に係るインターホン装置（１）では、第７又は８のいずれかの態様において、筐体（１８）に対する角度調節構造（１９Ａ〜１９Ｃ）の少なくとも一部の回転角度に応じて筐体（１８）の前面（１８１）に対するレンズ（１５２）の突出量が変化する。
【０１０８】
第９の態様によれば、角度調節構造（１９Ａ〜１９Ｃ）の少なくとも一部の回転角度に応じてレンズ（１５２）の突出量を調節することができる。
【０１０９】
第１０の態様に係るインターホンシステム（１０）は、第１〜９のいずれかの態様のインターホン装置（１）と、撮像部（１５）で撮像される映像をインターホン装置（１）から受信する通信装置（２）と、を備える。
【０１１０】
第１０の態様によれば、角度調節構造（１９，１９Ａ〜１９Ｃ）と角度調節部（１３１）とを組み合わせることで、撮像部（１５）の撮像範囲を広範囲に調節することができる。
【０１１１】
第２〜第９の態様に係る構成については、インターホン装置（１）の必須の構成ではなく、適宜省略可能である。
【符号の説明】
【０１１２】
１  インターホン装置
１３  第１映像処理部（映像処理部）
１３１  角度調節部
１４  第１表示部（表示部）
１５  撮像部
１５１  撮像素子
１５２  レンズ
１６  第１操作部（操作部）
１８  筐体
１８１  前面
１９，１９Ａ〜１９Ｃ  角度調節構造
１９１  第１固定部材（角度調節構造）
１９２  第２固定部材（角度調節構造）
２  通信装置
Ｐ１  光軸
【図１】
2019068331.tif 000003
【図２】
2019068331.tif 000004
【図３】
2019068331.tif 000005
【図４】
2019068331.tif 000006
【図５】
2019068331.tif 000007
【図６】
2019068331.tif 000008
【図７】
2019068331.tif 000009
【図８】
2019068331.tif 000010